(57)【特許請求の範囲】
【請求項１】
ベルトコンベヤに於けるリターン側ベルトの両側の外側で、かつ前後所定間隔毎の位置に定置プレートを配置し、また先端とグリップを有する末端とが上記リターン側ベルトの側縁の前後に向く水平な姿勢のスライドプレートを上記定置プレートの内側に配置し、さらに上記スライドプレートの先端部から末端方向途中迄に前記スライドプレートの両側板面が開放する長孔を設けて、この長孔に上記定置プレートに支持させた上記スライドプレートのスライドガイド兼起伏支点用のピンを貫通し、また上記スライドプレートの上記長孔の端縁と上記グリップとの間の上縁から下方にＵ字状の切欠き凹部を設けて、この切欠き凹部の並行する両側縁にリターンローラのセンタ支軸の両端外周の対称位置に設けてある切欠溝を嵌め込み係合し、さらに上記定置プレートの板面から突出するように設けた突起と、上記スライドプレートの上記切欠き凹部とグリップとの間の上縁から上方に突出するよう設けた突片と、この突片の上記切欠き凹部側から上記グリップ側に向け上記スライドプレートのスライドにともない上記突起が嵌入係合するように設けた凹入するレールとで構成した上記スライドプレートの水平な姿勢制御手段を設けたことを特徴とするベルトコンベヤのリターンローラ。
【発明の詳細な説明】
【技術分野】
【０００１】
この発明は、ベルトコンベヤにおけるリターンローラに関し、機能を喪失したりリターンローラの交換作業性を良好にした点にある。
【背景技術】
【０００２】
ベルトコンベヤは、周知のように、ヘッドプーリとテールプーリとに無端状のベルトをかけ渡し、ベルトのキャリヤ側裏面は、キャリヤローラで支承され、ベルトのリターン側表面は、リターンローラで支承されている。
【０００３】
このリターンローラの支持は、コンベヤフレームに取り付けてある梁材の両端から起立するスタンドや、コンベヤフレームから垂れ下がるアームに上面開放のＵ字状の切欠きを設けて、この切欠きにリターンローラの支軸の両端外周対称位置に設けてある切欠溝を上方から落とし込みにより嵌め込み係合させて、上記の支軸を不回転状態に支持する（特許文献１及び２参照）。
【先行技術文献】
【特許文献】
【０００４】
【特許文献１】実開平６−４２８２３号公報
【特許文献２】特開２００９−１２６６６２号公報
【発明の概要】
【発明が解決しようとする課題】
【０００５】
ところで、何らかの影響、例えばリターンローラの外周面の摩滅や支軸の両端軸承軸受の故障にともなうスムーズな回転を阻害する不都合が発生すると、リターンローラを交換しなければならない。
【０００６】
しかしながら、リターンローラの支軸の両端支持を特許文献１及び２のような定置式スタンドやアームの切欠きに切欠溝を嵌め込む方式によると、交換にともない切欠きからの切欠溝を脱出させるために、リターンローラとベルトを上記脱出可能な高さ（位置）迄持ち上げなければならない。
【０００７】
この要因のため、人手や機器を用いて行うに際し、人手の場合多大な労力を必要とし、また機器を用いる場合機器の搬入、搬出及び機器の操作に手数がかかるなどの問題があった。
【０００８】
特に狭い空間にあっては、上述の切欠きから切欠溝を脱出させるためのリターンローラとベルトを持ち上げできないので、リターンローラの交換ができない。
【０００９】
そこで、この発明は、リターンローラの交換が極めて容易（スムーズ）に行うことができるようにしたことにある。
【課題を解決するための手段】
【００１０】
上記の課題を解決するために、この発明は、ベルトコンベヤに於けるリターン側ベルトの両側の外側で、かつ前後所定間隔毎の位置に定置プレートを配置し、また先端とグリップを有する末端とが上記リターン側ベルトの側縁の前後に向く水平な姿勢のスライドプレートを上記定置プレートの内側に配置し、さらに上記スライドプレートの先端部から末端方向途中迄に前記スライドプレートの両側板面が開放する長孔を設けて、この長孔に上記定置プレートに支持させた上記スライドプレートのスライドガイド兼起伏支点用のピンを貫通し、また上記スライドプレートの上記長孔の端縁と上記グリップとの間の上縁から下方にＵ字状の切欠き凹部を設けて、この切欠き凹部の並行する両側縁にリターンローラのセンタ支軸の両端外周の対称位置に設けてある切欠溝を嵌め込み係合し、さらに上記定置プレートの板面から突出するように設けた突起と、上記スライドプレートの上記切欠き凹部とグリップとの間の上縁から上方に突出するよう設けた突片と、この突片の上記切欠き凹部側から上記グリップ側に向け上記スライドプレートのスライドにともない上記突起が嵌入係合するように設けた凹入するレールとで構成した上記スライドプレートの水平な姿勢制御手段を設けた構成を採用する。
【発明の効果】
【００１１】
以上のように、この発明のリターンローラによれば、姿勢制御手段により先端とグリップを有する端末とが前後方向に向くスライドプレートの姿勢を水平に維持することで、リターンベルトにリターンローラの上周面を接触（ベルトを支承）させて、ベルトコンベヤの運転を継続することができると共に、この状況下で姿勢制御手段の係合関係でスライドプレートの安定した水平な姿勢を保つことができる。
【００１２】
運転にともない何らかの影響でリターンローラの交換が必要な場合、ベルトの走行方向の反対方向にスライドプレートをスライドさせながら姿勢制御手段のレールと突起との係合関係を解除することにより把持したグリップを押し下げて、長孔のスライドプレート先端側に移動しているピンを上記長孔の端部が回動中心になって、上記スライドプレートの末端側を降下させることができて、スライドプレートが旋回するので、リターンローラを降下（ベルトに対し離反するように）させることができる。
【００１３】
すると、切欠き凹部から支軸の切欠溝を脱出させて嵌め込み係合の解除によりリターンローラを回収することができるので、次のリターンローラの交換が可能になり、交換に要した人手や機器を用いたベルトの持ち上げがなく、極めて容易（スムーズ）に交換ができ、ベルトコンベヤの稼働率の大幅な低下がない。
【００１４】
勿論、狭い空間であってもリターンローラの交換が容易になる以外に、ベルトにリターンローラが接触した状況下でスライドプレートをスライドさせることになるが、その際リターンローラが回転するためスムーズに、かつ大きな労力を必要とすることなくスライドさせることもできる。
【図面の簡単な説明】
【００１５】
【図１】この発明の実施の形態を示す縦断正面図である。
【図２】同上の要部を示す縦断拡大正面図である。
【図３】同拡大側面図である。
【図４】姿勢制御手段の係合関係の解除を示す拡大側面図である。
【図５】スライドプレートを倒した状態を示す拡大側面図である。
【図６】リターンローラの支軸の支持を示す縦断拡大正面図である。
【図７】姿勢制御手段の部分の縦断拡大正面図である。
【発明を実施するための形態】
【００１６】
次に、この発明の実施形態を添付図面に基づいて説明する。
図１に示すベルトコンベヤＡは、周知のようにヘッドプーリとテールプーリ（いずれも図示省略）とに無端状のベルトａをかけ渡して形成され、キャリヤ側ベルトａの裏面は、前後に所定の間隔を存して配置したトラフ形のキャリアローラ１で支承してある。
【００１７】
また、リターン側ベルトａの下側には、前後に所定の間隔を存して多数列のリターンローラ２を配置する。
【００１８】
上記のリターンローラ２は、周知のように、軸芯に支軸３を貫通させて軸承し、この支軸３の両突出端の外周面対称位置には、図６に示すように切欠溝４が設けてある。
【００１９】
次に、リターンローラ２の支持を説明する。
リターンローラ２の配置位置の両端には、定置プレート５が設けてある。
【００２０】
上記の定置プレート５は、図示の場合コンベヤフレーム６に上縁を固定して垂設したが、限定されず、起立させて設けることもある。
【００２１】
また、定置プレート５の内側には、末端にベルトａの走行方向の反対方向に突出する（図示の場合）グリップ７を有するスライドプレート８が配置されている。
【００２２】
そして、このスライドプレート８は、ベルトａの長手方向にスライドし、かつ起伏旋回するようになっている。
【００２３】
上記のスライド及び起伏旋回は、スライドプレート８の先端部から末端方向中途迄の範囲に設けた長孔９と、この長孔９に貫通するように定置プレート５から突出させたピン１０とからなり、長孔９の範囲（両端間）内でベルトａの長手方向にスライドプレート８をスライドさせることができる以外に、長孔９内をスライドプレート８のスライドにともない前記長孔９の前記スライドプレート８の先端側に移動したピン１０を支点としてスライドプレート８を起伏状旋回できるようにしてある。
【００２４】
さらに、定置プレート５とスライドプレート８には、リターン側ベルトａの側縁に平行するように水平な姿勢でベルトａの走行方向にスライドプレート８をスライドさせた際、上記水平な姿勢を維持する係合関係になり、かつスライドプレート８をベルトａの走行方向の反対方向にスライドさせた際、上述の係合関係が解除（解除にともないスライドプレート８が起伏旋回可能になる）できるよう姿勢制御手段Ｃが設けてある。
【００２５】
上記の姿勢制御手段Ｃは、図示の場合、スライドプレート８の中途上縁から突出する突片１１と、この突片１１のベルトａの走行方向側の縁からベルトａの走行方向の反対側に向け横向きＵ字状の切欠きにより設けたレール１２と、スライドプレート８のベルトａの走行方向のスライドにともないレール１２に係合関係になるよう嵌まり込むよう定置プレート５から突出させた突起１３とで構成されている。
【００２６】
勿論、スライドプレート８のベルトａ走行方向へのスライドにともないレール１２の開放端に突起１３の嵌入がスムーズにできるよう、レール１２の開放端の幅を大きく（拡幅）しておくとよい。
【００２７】
また、スライドプレート８の長孔９の端とグリップ７との間の上縁（水平な姿勢でのスライドプレート８の上縁）から下方の向けＵ字状の切欠き凹部１４を設けて、この切欠き凹部１４に支軸３の切欠溝４を落とし込みにともない係合すると、スライドプレート８にキリターンローラ２の支軸３を不回転状態に支持することができる。
【００２８】
図中１５は定置プレート５の板面に突出させたストッパで、このストッパ１５にベルトａの走行方向にスライドプレート８をスライドさせたときスライドプレート８の下縁を当接させて、スライドプレート８の安定した水平な姿勢を保つようになっている。
【００２９】
上記のように構成すると、グリップ７を把持して水平な姿勢のスライドプレート８をベルトａの走行方向にスライドさせながら姿勢制御手段Ｃを係合関係に（図３に示すように）しておく。
【００３０】
すると、水平な姿勢を維持したスライドプレート８に支持させてあるリターンローラ２の上周面をベルトａに接触させて、ベルトコンベヤＡの運転を継続する。
【００３１】
何らかの影響によりリターンローラ２を交換する場合、まずグリップ７を把持してベルトａの走行方向の反対方向に長孔９と、この長孔９に挿入してあるピン１０によりガイドしながらスライドプレート８をスライド（図３から図４に示すように）させて、図４に示すように姿勢制御手段Ｃの係合関係を解除する。
【００３２】
上記の解除後に把持したグリップ７により図４の状態から図５に示すようにグリップ７を押し下げてスライドプレート８を旋回させることで、ベルトａに対し離反するようにリターンローラ２を降下させることができる。
【００３３】
その後に、上方にリターンローラ２を持ち上げながら、切欠き凹部１４から切欠溝４を脱出させ、そしてリターンローラ２を回収する。
【００３４】
交換（新しい）リターンローラ２は、切欠き凹部１４に切欠溝４を落とし込みにより係合して支軸３を支持させたのち、グリップ７を持ち上げて起立方向にスライドプレート８を旋回させ、然るのち、ベルトａの走行方向にスライドプレート８をスライドさせながら、姿勢制御手段Ｃを係合関係にする。
すると、定位置にリターンローラ２を設置することができる。
【００３５】
なお、ベルトａの走行方向にスライドさせたスライドプレート８は、押し込みスライド位置で停止するので、運転中にあっては、スライドプレート８の姿勢制御手段Ｃの係合関係の解除はない。
【符号の説明】
【００３６】
Ａ  ベルトコンベヤ
ａ  ベルト
Ｃ  姿勢制御手段
１  キャリヤローラ
２  リターンローラ
３  支軸
４  切欠溝
５  定置プレート
６  コンベヤフレーム
７  グリップ
８  スライドプレート
９  長孔
１０  ピン
１１  突片
１２  レール
１３  突起
１４  切欠き凹部
１５  ストッパ
【図１】
0006415069.tif 000002
【図２】
0006415069.tif 000003
【図３】
0006415069.tif 000004
【図４】
0006415069.tif 000005
【図５】
0006415069.tif 000006
【図６】
0006415069.tif 000007
【図７】
0006415069.tif 000008